(57)【要約】リベット取り付け工具にはマンドレル収集システムが与えられる。マンドレル収集システムは、弁システムを用いて高真空状態及び低真空状態を与え、リベットマンドレルを収集ボトルの中に引き込む。低真空状態は、エネルギの節約及び雑音レベルの減少をもたらす。
2006507129.tif 000002
【特許請求の範囲】
【請求項１】
リベットを取り付けるための手持ち式工具であって、
除去可能なマンドレルを有するリベット、及び
リベット取り付け工具に結合されたマンドレル収集システム、
を備え、前記マンドレル収集システムは、第１の真空レベル及び第２の真空レベルを与えるように構成されており、前記第２の真空レベルが、前記マンドレルを前記リベット取り付け工具から該マンドレル収集システムの中に引き込むのに十分なものであることを特徴とする手持ち式工具。
【請求項２】
前記第１の真空レベルが、前記第２の真空レベルより低い請求項１に記載の手持ち式工具。
【請求項３】
前記マンドレル収集システムが、空気供給モジュール、真空制御モジュール、及び収集ボトルを備えた請求項１に記載の手持ち式工具。
【請求項４】
前記マンドレル収集システムが、第１位置から第２位置まで移動することができるシャトル弁を備え、該マンドレル収集システムが、前記シャトル弁が前記第１位置にある場合には第１の真空レベルを与え、該シャトル弁が前記第２位置にある場合には第２の真空レベルを与える請求項１に記載の手持ち式工具。
【請求項５】
前記シャトル弁が、前記リベット工具内のアクチュエータピストンの運動により作動される請求項４に記載の手持ち式工具。
【請求項６】
前記アクチュエータピストンが、前記シャトル弁を圧縮空気源に結合するように構成された空気通路を定める請求項５に記載の手持ち式工具。
【請求項７】
前記シャトル弁が空気圧により作動される請求項４に記載の手持ち式工具。
【請求項８】
前記マンドレル収集システムが、前記第１の真空レベルを調整するように構成されたニードル弁を備えた請求項１に記載の手持ち式工具。
【請求項９】
マンドレルを有するファスナを取り付けるための装置であって、
空気供給モジュール、
前記空気供給モジュールに結合された真空制御モジュール、及び
シールされた収集キャビティを定める収集ボトル、
を備え、前記真空制御モジュールは、前記シールされたキャビティ内に第１の真空レベル及び第２の真空レベルを与えるように構成されており、前記第２の真空レベルが、前記マンドレルを該シールされたキャビティの中に引き込むのに十分なものであることを特徴とする装置。
【請求項１０】
前記真空制御モジュールが前記空気供給モジュールに流体結合された請求項９に記載の装置。
【請求項１１】
前記真空制御モジュールが、高流路及び低流路を定め、前記流路が、真空アクチュエータに流体結合された請求項９に記載の装置。
【請求項１２】
前記真空制御モジュールが、前記高空気流路を通る流れを制限するように構成されたシャトル弁を備えた請求項１１に記載の装置。
【請求項１３】
前記低流路を通る空気の流れを制限するように構成されたニードル弁を備えた請求項１２に記載の装置。
【請求項１４】
前記シャトル弁が圧縮空気により作動される請求項１３に記載の装置。
【請求項１５】
前記シャトル弁がリベット取り付け工具作動ピストンの運動により作動される請求項１３に記載の装置。
【請求項１６】
前記作動ピストンが作動空気通路を備え、前記シャトル弁が、前記作動空気通路を通って流れる圧縮空気に応答して移動するように構成された請求項１５に記載の装置。
【請求項１７】
前記装置が、前記空気作動通路に流体結合された圧力チャンバを定め、前記圧力チャンバが、空気圧を所定の速度で前記圧力チャンバから解放するように構成されたブリーダオリフィスを有する請求項１６に記載の装置。
【請求項１８】
前記圧力チャンバがブリーダディスクを有し、前記ブリーダオリフィスが、前記ブリーダディスク内に定められた請求項１７に記載の装置。
【請求項１９】
前記第１の真空レベルが、ファスナを前記シールされたキャビティの中に引き込むのに十分なものではない請求項９に記載の装置。
【請求項２０】
ファスナの一部を移動させるための装置であって、
真空制御モジュール、及び、
全体的にシールされたキャビティを定める部材、
を備え、前記真空制御モジュールは、前記シールされたキャビティ内に第１の真空レベル及び第２の真空レベルを与えるように構成されており、前記第２の真空レベルが、前記ファスナを該シールされたキャビティの中に引き込むのに十分なものであり、前記第１の真空レベルは、該ファスナを該シールされたキャビティの中に引き込むのに十分なものではないことを特徴とする装置。
【請求項２１】
前記真空制御モジュールが高流路及び低流路を定め、前記流路が真空アクチュエータに流体結合された請求項２０に記載の装置。
【請求項２２】
前記真空制御モジュールが、前記高空気流路を通る流れを制限するように構成されたシャトル弁を備えた請求項２１に記載の装置。
【請求項２３】
前記低流路を通る空気の流れを制限するように構成されたニードル弁を備えた請求項２２に記載の装置。
【請求項２４】
前記シャトル弁が圧縮空気により作動される請求項２３に記載の装置。
【請求項２５】
前記シャトル弁がピストンの運動により作動される請求項２３に記載の装置。
【請求項２６】
前記ピストンが作動空気通路を備え、前記シャトル弁が、前記作動空気通路を通って流れる圧縮空気に応答して移動するように構成された請求項２５に記載の装置。
【請求項２７】
前記装置が、前記空気作動通路に流体結合された圧力チャンバを定め、前記圧力チャンバが、空気圧を所定の速度で前記圧力チャンバから解放するように構成されたブリーダオリフィスを有する請求項２６に記載の装置。
【請求項２８】
ファスナの一部を移動させるための装置であって、
真空レベルを制御するための手段、及び、
全体的にシールされたキャビティを定める部材、
を備え、前記真空レベルを制御するための手段は、前記シールされたキャビティ内に第１の真空レベル及び第２の真空レベルを与えるように構成されており、前記第２の真空レベルが、前記ファスナを該シールされたキャビティの中に引き込むのに十分なものであり、前記第１の真空レベルは、該ファスナを該シールされたキャビティの中に引き込むのに十分なものではないことを特徴とする装置。
【請求項２９】
前記真空レベルを制御するための手段を作動させるための手段をさらに備えた請求項２８に記載の装置。
【請求項３０】
前記真空レベルを制御するための手段が、高流量空気供給源及び低流量空気供給源を定め、前記空気供給源が、空気の流れを真空に変換するように構成されたアクチュエータに流体連結された請求項２８に記載の装置。
【請求項３１】
前記真空レベルを制御するための手段が、前記高流量空気供給源を通る流れを制限する第１の手段を備えた請求項３０に記載の装置。
【請求項３２】
前記真空レベルを制御するための手段が、前記低流量空気供給源を通る流れを制限する第２の手段を備えた請求項３０に記載の装置。
【発明の詳細な説明】
【技術分野】
【０００１】
本出願は、２００２年１１月２１日に出願された米国仮特許出願番号第６０／４２８，１１６号に基づく優先権を主張するものである。上の出願は引用によりここに組み入れられる。
本発明は、一般に、リベット取り付け工具に関し、より詳細には、リベット取り付け工具のためのマンドレル収集システムに関する。
【背景技術】
【０００２】
業界では、様々な種類のリベット取り付け工具が知られている。その幾つかは、ばね作動システム、空気作動システム、油圧作動システム及びこれらの組み合わせを含む。リベット取り付け工具が発展するにつれて、製造業者は、効率を改善すること、複雑さを減少させること、及び工具を取り扱う際の作業員の操作性を改善することに励んできた。
使い終わったマンドレルをリベット取り付け工具から引き抜いて収集システムの中に入れるために空気作動を用いるリベット取り付け工具は、典型的には、一定の真空又は空気圧をリベット取り付け工具に適用する。多くの場合、真空を生成する機構は、圧縮空気の一定流を使用することができる。残念ながら、真空が本当に必要なのは、リベットが設置された直後だけである。したがって、高度に圧縮された空気の定流は、エネルギの観点から、並びに、顕著な量の不要な雑音源から非効率的である。
したがって、この業界においては、負荷サイクル内の時間に応じて、マンドレル収集真空量を変更できるマンドレル収集システムを有するリベット取り付け工具を与えることが望ましい。さらに、異なるリベットの大きさに素早く適応することができ、クリーニング及び一般的な維持管理のために容易に分解できるものを与えることが望ましい。本発明の目的は、従来技術の欠陥を克服するリベット取り付け工具を提供することである。
【発明の開示】
【０００３】
本発明の一実施形態においては、除去可能なマンドレルを有するリベットを取り付けるための手持ち式工具が開示される。リベット取り付け工具に結合されたマンドレル収集システムが与えられ、これは、第１の真空レベル及び第２の真空レベルを与えるように構成されており、該第２の真空レベルは、マンドレルを該リベット取り付け工具から該マンドレル収集システムの中に引き込むのに十分なものである。第１の真空レベルは第２の真空レベルより低い。
本発明の別の実施形態においては、マンドレルを有するファスナを取り付けるための装置が開示される。この装置は、空気供給モジュール、該空気供給モジュールに結合された真空制御モジュール、及び全体的にシールされた収集キャビティを定める収集ボトルを有する。真空制御モジュールは、全体的にシールされたキャビティ内に第１の真空レベル及び第２の真空レベルを与えるように構成されており、前述の第２の真空レベルは、マンドレルを該シールされたキャビティの中に引き込むのに十分なものである。
本発明の別の実施形態においては、ファスナの一部を一方の位置から別の位置まで移動させるための装置が開示される。この装置は、真空制御モジュール、及び全体的にシールされたキャビティを定める部材を有する。真空制御モジュールは、シールされたキャビティ内に第１の真空レベル及び第２の真空レベルを与えるように構成される。第２の真空は、ファスナの一部をシールされたキャビティの中に引き込むのに十分なものであるが、第１の真空レベルは、該ファスナの一部を該シールされたキャビティの中に引き込むのに十分なものではない。
本発明のさらに別の利用可能領域は、以下に与えられる詳細な説明から明らかになるであろう。詳細な説明及び特定の例は本発明の好ましい実施形態を示すが、例示的な目的を意図するに過ぎず、本発明の範囲を制限することを意図するものではないことを理解されたい。
【発明を実施するための最良の形態】
【０００４】
本発明は、詳細な説明及び添付の図面からより完全に理解されるであろう。
好ましい実施形態の以下の説明は、本質的に例示的なものに過ぎず、決して、本発明、その適用例又は用途を制限することを意図するものではない。
【０００５】
図１ａ及び図１ｂを参照すると、本発明の教示によるマンドレル収集システム３２を有するリベット取り付け工具３０が示されている。マンドレル収集システムは、リベット取り付け工具３０に対して軸方向に固定された４つの部品で形成される。マンドレル収集システム３２は、空気供給モジュール３４、真空制御モジュール３６、コレクタボトル３８、及びマンドレル収集システム本体４０で形成される。マンドレル収集システム３２は、所定の時間の量において、「低真空」レベルから「高真空」レベルに自動的に切り換えることができる機構を与える。この点に関しては、このシステムは、リベット取り付け工具が作動されていない場合には低真空状態を与え、マンドレルをリベット取り付け工具３０の作動ヘッド４２から引き込まなければならない場合には、「高真空」状態を与えるように構成される。空気供給モジュール３４は、マンドレル収集システム３２を稼動させ、空気を真空制御モジュール３４に供給して真空を生成するためのスイッチ機構を含む。コレクタボトルは、真空制御モジュール３６により、工具から引っ張り込まれた使い終わったリベットマンドレルを格納する。
【０００６】
マンドレル収集システム３２は、リベット取り付け工具の作動油圧ピストン４４の運動を用いて、該マンドレル収集システム３２を作動させる。リベット取り付け工具３０の作動ヘッド４２の作動により、作動ピストン４４の運動は、マンドレル収集システム３２が収集ボトル内の真空量を増加させて、該作動ピストン４４内に定められたリベットマンドレル収集管４６を通してリベットマンドレルを引き込むようにする。マンドレル収集システム３２が、空気供給モジュール３４のスイッチ機構により、稼動又は「オン」にされた場合には、一定の真空が真空制御モジュール３６により生成される。一定の真空のレベルは、ニードル弁（以下に述べられる）により調整される。このレベルは、マンドレル収集システムの全真空能力から完全なオフまで完全に調節することができる。
【０００７】
図１ｂは、図１ａに示されるマンドレル収集システム３２の断面図を表わす。マンドレル収集システム３２は、結合機構を用いて、リベット取り付け工具３０の後方部分４７に結合される。この点に関しては、結合機構はねじ付きフランジとすることができ、又は、マンドレル収集システム３２は、多数のねじ付きファスナを用いて、リベット取り付け工具３０に結合することができる。さらに、マンドレル収集システム３２は、スナップリング組立体又は他の適用可能な結合機構を用いてリベット取り付け工具３０に結合することができる。
【０００８】
マンドレル収集システム３２は、作動ピストン４４のマンドレル収集アクチュエータ４８を摺動可能に受け入れる貫通孔６０を定める。さらに、マンドレル収集システム３２は、リベット取り付け工具３０からの圧縮空気を受け取る圧縮空気入口７０を定める。圧縮空気供給源７０は、圧縮空気を、真空制御モジュール及びマンドレル収集システム３２内の弁機構６４に与えるように機能する。
【０００９】
真空制御モジュール３６の内側には、弁機構がある。一定の真空又は低流量モードにおいては、弁機構は閉位置にあり、空気が低流量通路を下方に通り、高流量通路をシールして、真空トランスデューサが一定の「低真空」レベルを生成することを可能にする。この低真空レベルは、流量制御ニードル弁により、真空トランスデューサの流れを制限することにより得られる。マンドレル制御システム３２の高流量モードは、空気圧を弁の底部におけるチャンバに供給して、差動区域にわたり、空気圧によって、該弁を高流量位置まで押し上げることにより稼動される。空気は、工具がサイクルされる場合に作動されるリベット取り付け工具３０の作動ピストン４４に配置された空気弁により供給される。弁が開かれた場合には、空気供給モジュール３４からの空気の供給は、ニードル弁からの制限をバイパスし、直接真空トランスデューサまで進んで、完全な制限されていない供給の流れから高真空状態を生成することを可能にする。工具のサイクルが完了した場合には、弁に対する空気供給は停止される。供給が停止すると、空気圧は、弁の下にある空気チャンバからポートされたブリードオリフィスにより、気圧まで戻るように減少し始める。この圧力は、オリフィスの大きさに応じた或る速度で「漏れ」出す。したがって、弁の下にあるチャンバが排気されるには特定の時間の期間がかかる。この「ブリードオフ」時間は、マンドレル収集システム３２のタイマー機構である。チャンバが排気されると、弁は閉じ始め、高流量空気通路を閉じて、マンドレル収集システムを低流量モードまで戻す。このシステム及びその部品の機能についての詳細な説明は以下でなされる。
【００１０】
図２は、図１ａ及び図１ｂに示されるマンドレル収集システム３２の分解斜視図を表わす。空気供給モジュール３４、真空制御モジュール３６、コレクタボトル３８、及びマンドレル収集システム本体４０が示される。マンドレル収集システム３２は、マンドレル収集システム本体４０及びコレクタボトル３８が収集真空チャンバ７１を定めるように構成される。さらに、マンドレル収集システム本体４０は、空気供給モジュールと結合して、真空制御モジュール３６を囲む。
【００１１】
図３ないし図８は、空気供給モジュール３４の図を表わす。図３に最もよく見られるように、空気供給モジュール３４の外面は、複数のねじ付き孔７２を定め、これらは、真空制御モジュール３６及びマンドレル収集システム本体４０を空気供給モジュール３４に結合するのに用いられる。図３及び図５に見られるように、空気供給モジュールは、さらに、圧縮空気を真空制御モジュール３６及び空気供給モジュール３４から解放するための空気排気ポート７４を定める。
【００１２】
図６ないし図７は、空気供給源の断面図を表わす。空気供給モジュール３４の本体の中に定められた複数の孔及びチャンバが示されている。空気供給モジュールの中には、圧縮空気供給入口７１が定められており、これは、一定の空気圧をリベット取り付け工具３０からマンドレル収集システム３２の弁機構６４の中にもたらすように機能する。さらに、本体の中には、中央孔と流体結合されたチャンバが定められる。さらに、中央孔には、漏れ制御オリフィス７６を有するチャンバが結合される。漏れ制御オリフィス７６は、以下でさらに述べられるように、チャンバ内で作られた圧力を用いて、加圧空気流をシャトル弁に供給するように機能する。
【００１３】
図８に見られるように、空気供給モジュール３４は、複数の結合オリフィスを定め、これらは、真空制御モジュール及びマンドレル収集システム本体４０における対応するオリフィスの組と嵌合する。さらに、空気供給モジュールは、真空制御モジュール３６のポスト部分８８を摺動可能に受け入れる凹んだ部分８６を定める。
【００１４】
図６及び図７に最もよく見られるように、漏れ制御孔９０は、２つの別々の部分で構成されている。第１部分９２は第１直径を有し、第２部分は第２直径を有する。第２部分の中には、レーザを用いて形成された孔を有する０．００５インチのディスクが配設される。ディスク内の孔は、約０．００１２から０．００２５インチの直径を有する。孔の直径並びに圧力の修正は、真空制御モジュール３６の作動のタイミングを調整する。
【００１５】
前述されたように、空気供給モジュール３４は、貫通孔６０を有する。貫通孔の周りには、第１Ｏ−リング９６を保持する第１溝９４が軸方向に配設される。さらに、貫通孔の周りには、第２Ｏ−リング１００を保持する棚部分９８が配設される。第１Ｏ−リング９６は、作動ピストン４４内に定められた１つ又はそれ以上の縦方向スロット又は面取り部１０２と関連して機能して、さらに以下で述べられるように、ガスアクチュエータを形成する。
【００１６】
図９ａないし図９ｄは、真空制御モジュール３６の図を表わす。真空制御モジュール３６は、複数の入力ポート及び出力ポートを定める。同様に、空気制御モジュール３４内には、真空制御モジュール３６内の真空生成をもたらす一組の対応する弁と相互接続された複数の孔が、配設される。
【００１７】
図９ｄにおいて最もよく見られるように、真空モジュール３６は、シャトル弁チャンバ１０４、一定／低流量ニードル弁制御チャンバ１０６、及び真空トランスデューサチャンバ１０８を定める。さらに、システム内には、一定空気供給源７０に結合された一定空気供給通路１１０が開示される。さらに、真空制御モジュール内には、低流路１１２及び高流路１１４が定められる。これらの通路及びチャンバの機能は、以下でさらに詳細に述べられる。
【００１８】
図１０ａないし図１０ｂは、モジュール収集システム本体４０を表わす。見ることができるように、モジュール収集システム本体は、油圧ピストンを摺動可能の受け入れる貫通孔６０を定める。結合部材の一端には、コレクタボトル３８を、真空制御モジュール３６内に定められた真空供給ライン１１８に流体結合する真空又は孔１１６が定められる。
【００１９】
図１１ａ及び図１１ｂは、組み立てられたマンドレル収集システム３２の側面図及び端面図を表わす。空気供給モジュール３４のオリフィスと真空制御モジュール３６のオリフィスとの間の関係が示される。シャトルチャンバ内には、真空トランスデューサチャンバ１０８内に配設された真空トランスデューザ１１５に対する一定空気供給源１１０からの加圧空気の流れを調整するように機能するシャトル弁１２０が定められる。以下に述べられるように、シャトル弁は、作動ピストン４４の運動に対応して移動する。シャトル弁１２０の移動は、一定空気供給源１１０からの空気の流れを調整して、これが、一定低流量ニードル弁制御チャンバ１０６内に形成されたニードル弁制御弁１２６を通過するか、又は、高流路１１４を通るようにする。真空トランスデューサを通る空気の流れは、真空ポート１１８が空気をベンチュリ真空アクチュエータの中に吸い込んで、これにより、収集ボトル３８内に真空を形成するようにする。
【００２０】
図１２ａないし図１２ｂは、マンドレル収集システム３２の作動を示す。前方の第１位置にあるアクチュエータピストン４４が示される。見ることができるように、第１及び第２のＯ−リングは、チャンバを流体シールして、作動ピストン５０をマンドレル収集システム３２から保持する。リベット取り付け工具３０の作動により、作動ピストン４４は、マンドレル収集システムの貫通孔６０の中に引き抜かれて、リベット取り付け工具の作動ヘッド４２を作動させる。作動ピストン４４がその第２位置に移動した場合には、ピストンアクチュエータ内に形成されたノッチ１０２形態の空気通路は、作動されたピストンを保持するためのチャンバからの加圧空気が第１Ｏ−リング９６をバイパスし、空気供給モジュール３４内に定められたチャンバを加圧することを可能にする。空気経路は、第１Ｏ−リング９６の下に置かれたピストン４４内のノッチ１０２により与えられる。これは、圧縮空気が、チャンバ５０からマンドレル収集システム３２に流れて、シャトル弁１２０を作動させることを可能にする。チャンバ５０内の圧力は、供給オリフィス５２により約８５ｐｓｉに維持される。
【００２１】
図１３ａ及び図１３ｂは、作動ピストン４４と空気供給モジュールとの間の相互作用の詳細断面図である。見られるように、ピストンがその第２位置にある場合には、空気は、第１Ｏ−リングをバイパスして制御オリフィス１３４に入る。制御オリフィス１３４は、シャトル弁チャンバ１０４に流体結合されて、したがって、該オリフィス１３４を通る流れがシャトル弁１２０を作動させることを可能にする。他の圧縮空気源をシャトル弁チャンバ１０４に流体結合して、シャトル弁１２０を作動させることが想定される。第２ｏ−リング１００は、圧縮空気がチャンバ５０から逃げてコレクタボトル３８の中に入るのを阻止する。通常の位置においては、ノッチ１０２は、第１ｏ−リング９６の下には配置されない。このことは、空気がチャンバ５０から制御オリフィス１３４の中に流れることを阻止する。
【００２２】
図１４は、作動ピストン４４がその第１非稼動位置にある場合のマンドレル収集システムの機能を表わす。この点に関しては、真空システムは、ボトル内に低レベルの真空を生成する。見ることができるように、シャトル弁１２０は非作動位置にある。空気の一定の流れは、一定空気ライン１１０を通り、低流量通路１１２を通って、一定低流量ニードル弁１１３を経て供給される。この低流量空気は、ベンチュリ真空トランスデューサ１１５を通過して、真空供給ポート１１８において低レベルの真空を形成する。
【００２３】
ピストンがその第２又は作動位置（図１３ｂを参照されたい）に移動された場合には、空気圧は、第１Ｏ−リング９６を通過して制御オリフィス１３４に入る。図１５に見られるように、この制御オリフィス１３４からの空気圧は、シャトル弁１２０を作動させて、これが第２位置１４０まで移動するようにする。シャトル弁１２０がその第２位置１４０にある場合には、一定圧力供給源７０ラインからの空気は、低流路１１２及び高流路１１４の両方を通って流れる。このことは、高流量がベンチュリ真空アクチュエータ１１５に入って、高い又は大きな真空が真空供給源１１８を通って引き込まれるの可能にする。この高真空は、マンドレルを作動ヘッド４２から引っ張って、使い終わったマンドレルを収集ボトル３８の中に置くように機能する。所定の量の時間の後、ピストン４４は、その通常位置まで戻される。空気圧は、オリフィス７６を通して抜かれて、シャトル弁１２０をその非作動位置まで戻す。
【００２４】
図１６ａないし図１６ｂは、一定流量ニードル弁１１３のより詳細な図である。この点に関しては、弁位置１４４に対する弁要素１４２の位置は、ねじ付き部材１４６を回転させることにより、ユーザによって調節可能である。これを行う際には、ユーザは、低真空圧をゼロから全真空まで調節することができる。弁要素１４２は、一連の段付き直径で形成することができる。各々の直径は、弁位置１４４に対する弁要素１４２の間隙に基づく所定の制限により、弁を通る特定の流速を可能にするように構成される。例えば、高真空レベルはマンドレルを引っ張るのに十分であるが、低真空は十分ではないことが想定される。
【００２５】
図１７は、作動ピストン４４に形成することができるノッチ１０２の形態の空気通路の異なる様式を表わす。見ることができるように、ノッチ１０２の形状は、制御オリフィス１３４に対する流れの量を変更するように調節することができる。この点に関しては、オリフィスの大きさ及び深さは、第１Ｏ−リングを切断することなく、必要な流れを受け入れるように調節することができる。
【００２６】
本発明の説明は本質的に例示的なものに過ぎず、したがって、本発明の要旨から離れない変更は、本発明の範囲内にあることが意図される。例えば、リベット取り付け工具が開示されるが、本発明の教示は、他の締結工具にも等しく適用可能である。さらに、リベットマンドレルを除去するためのシステムが開示されるが、本発明の教示をファスナ供給システムに用いることも可能である。このような変更は、本発明の精神及び範囲から離れるものとしてみなされるものではない。
【図面の簡単な説明】
【００２７】
【図１ａ】本発明の教示によるマンドレル収集システムを有するリベット取り付け工具の断面図を表わす。
【図１ｂ】本発明の教示によるマンドレル収集システムを有するリベット取り付け工具の断面図を表わす。
【図２】図１ａに示されるマンドレル収集システムの分解図を表わす。
【図３】図１に示されるマンドレル制御システムのための空気供給モジュールを表わす。
【図４】図１に示されるマンドレル制御システムのための空気供給モジュールを表わす。
【図５】図１に示されるマンドレル制御システムのための空気供給モジュールを表わす。
【図６】図１に示されるマンドレル制御システムのための空気供給モジュールを表わす。
【図７】図１に示されるマンドレル制御システムのための空気供給モジュールを表わす。
【図８】図１に示されるマンドレル制御システムのための空気供給モジュールを表わす。
【図９ａ】図２に示される真空制御モジュールを表わす。
【図９ｂ】図２に示される真空制御モジュールを表わす。
【図９ｃ】図２に示される真空制御モジュールを表わす。
【図９ｄ】図２に示される真空制御モジュールを表わす。
【図１０ａ】図２に示されるマンドレル収集システム本体を表わす。
【図１０ｂ】図２に示されるマンドレル収集システム本体を表わす。
【図１１ａ】図１に示されるマンドレル収集システムの断面図を示す。
【図１１ｂ】図１に示されるマンドレル収集システムの側面図を示す。
【図１２ａ】リベット取り付け工具の油圧アクチュエータに結合されたマンドレル収集システムの側断面図を表わす。
【図１２ｂ】リベット取り付け工具の油圧アクチュエータに結合されたマンドレル収集システムの側断面図を表わす。
【図１３ａ】油圧アクチュエータとマンドレル収集システムとの相互作用の詳細断面図を表わす。
【図１３ｂ】油圧アクチュエータとマンドレル収集システムとの相互作用の詳細断面図を表わす。
【図１４】マンドレル収集システムの機能の断面図を示す。
【図１５】マンドレル収集システムの機能の断面図を示す。
【図１６ａ】真空制御機構内の制御弁の詳細を示す。
【図１６ｂ】真空制御機構内の制御弁の詳細を示す。
【図１７】リベット取り付け工具の油圧アクチュエータに用いられる３つのノッチ様式を表わす。
2006507129.tif 000003
【図２】
2006507129.tif 000004
【図３】
2006507129.tif 000005
【図４】
2006507129.tif 000006
【図５】
2006507129.tif 000007
【図６】
2006507129.tif 000008
【図７】
2006507129.tif 000009
【図８】
2006507129.tif 000010
2006507129.tif 000011
2006507129.tif 000012
2006507129.tif 000013
2006507129.tif 000014
2006507129.tif 000015
2006507129.tif 000016
【図１４】
2006507129.tif 000017
【図１５】
2006507129.tif 000018
2006507129.tif 000019
【図１７】
2006507129.tif 000020
【国際調査報告】
2006507129.tif 000021